(57)【要約】【課題】情報信号を多重化したマルチキャリア信号で無線信号を効率良く伝送できる伝送装置等を提供する。【解決手段】光送信器は、入力された無線信号の周波数と重ならない周波数のサブキャリアに情報信号を割り当てる割当部を有する。更に、光送信器は、割当部にて各サブキャリアに割り当てられた前記情報信号を多重化したＤＭＴ変調信号のマルチキャリア信号を生成するＤＭＴ変調部を有する。更に、光送信器は、マルチキャリア信号に無線信号を周波数多重化して伝送出力する合波部を有する。【選択図】図１
2015076865.tif 000002
【特許請求の範囲】
【請求項１】
入力された無線信号の周波数と重ならない周波数のサブキャリアに情報信号を割り当てる割当部と、
前記割当部にて各サブキャリアに割り当てられた前記情報信号を多重化したマルチキャリア信号を生成する生成部と、
前記生成部にて生成された前記マルチキャリア信号に前記無線信号を周波数多重化して伝送出力する多重化部と
を有することを特徴とする伝送装置。
【請求項２】
入力された無線信号の周波数を取得する取得部をさらに有し、
前記割当部は、
前記取得部にて取得された前記無線信号の周波数と重ならない周波数のサブキャリアに前記情報信号を割り当てることを特徴とする請求項１に記載の伝送装置。
【請求項３】
前記割当部は、
前記無線信号の周波数と、前記無線信号と隣接する前記情報信号に割り当てた前記サブキャリアの周波数との間に未使用の周波数帯域を設けるように、前記サブキャリアに前記情報信号を割り当てることを特徴とする請求項１又は２に記載の伝送装置。
【請求項４】
前記無線信号の周波数に関する周波数情報と、前記情報信号毎に割り当てるサブキャリアに関する割当情報とを含む設定情報を、前記マルチキャリア信号を受信する相手先装置に通知する通知部をさらに有することを特徴とする請求項１〜３の何れか一つに記載の伝送装置。
【請求項５】
前記多重化部は、
前記情報信号を多重化した前記マルチキャリア信号を第１の光信号に変換する第１の変換部と、
前記無線信号を第２の光信号に変換する第２の変換部と、
前記第１の光信号に前記第２の光信号を光周波数多重化して伝送出力する光多重化部と
を有することを特徴とする請求項１〜４の何れか一つに記載の伝送装置。
【請求項６】
前記多重化部は、
前記情報信号を離散マルチトーン変調方式で各サブキャリアに多重化したことを特徴とする請求項１〜５の何れか一つに記載の伝送装置。
【請求項７】
送信装置と、当該送信装置からマルチキャリア信号を送信する受信装置とを有する伝送システムであって、
前記送信装置は、
入力された無線信号の周波数と重ならない周波数のサブキャリアに情報信号を割り当てる割当部と、
前記割当部にて各サブキャリアに割り当てられた前記情報信号を多重化したマルチキャリア信号を生成する生成部と、
前記生成部にて生成された前記マルチキャリア信号に前記無線信号を周波数多重化して伝送出力する多重化部と、
前記無線信号の周波数に関する周波数情報及び、前記情報信号毎に割り当てるサブキャリアに関する割当情報を含む設定情報を前記受信装置に通知する通知部と
を有し、
前記受信装置は、
前記送信装置からの前記設定情報に基づき、前記マルチキャリア信号から前記無線信号と前記情報信号とに分離する分離部を有することを特徴とする伝送システム。
【請求項８】
伝送装置は、
入力された無線信号の周波数と重ならない周波数のサブキャリアに情報信号を割り当て、
各サブキャリアに割り当てられた前記情報信号を多重化したマルチキャリア信号を生成し、
生成された前記マルチキャリア信号に前記無線信号を周波数多重化して伝送出力する
処理を実行することを特徴とする伝送方法。
【発明の詳細な説明】
【技術分野】
【０００１】
本発明は、伝送装置、伝送システム及び伝送方法に関する。
【背景技術】
【０００２】
近年、モバイル端末の増加に応じてモバイル端末通信の無線信号の通信量が増加する傾向にある。そこで、大容量のデータを伝送可能にした光ネットワークを用いて、モバイル端末通信の無線信号を光伝送することが望まれている。
【０００３】
また、光ネットワークでは、複数の異なる周波数のサブキャリアに複数の情報信号を周波数多重化する、例えば、ＤＭＴ（離散マルチトーン：Discrete  Multi-Tone）変調方式等のマルチキャリア変調方式が採用されている。
【先行技術文献】
【特許文献】
【０００４】
【特許文献１】特開２００４−１１２７８１号公報
【発明の概要】
【発明が解決しようとする課題】
【０００５】
しかしながら、光ネットワークを用いてモバイル端末通信の無線信号を光伝送することが望まれているものの、複数の情報信号を多重化したマルチキャリア信号で無線信号を効率良く光伝送することは困難である。
【０００６】
一つの側面では、情報信号を多重化したマルチキャリア信号で無線信号を効率良く伝送できる伝送装置、伝送システム及び伝送方法を提供することを目的とする。
【課題を解決するための手段】
【０００７】
一つの案では、伝送装置は、入力された無線信号の周波数と重ならない周波数のサブキャリアに情報信号を割り当てる割当部を有する。更に、伝送装置は、前記割当部にて各サブキャリアに割り当てられた前記情報信号を多重化したマルチキャリア信号を生成する生成部と、前記生成部にて生成された前記マルチキャリア信号に前記無線信号を周波数多重化して伝送出力する多重化部を有する。
【発明の効果】
【０００８】
情報信号を多重化したマルチキャリア信号で無線信号を効率良く伝送できる。
【図面の簡単な説明】
【０００９】
【図１】図１は、実施例１の光伝送システムの一例を示すブロック図である。
【図２】図２は、無線方式テーブルの一例を示す説明図である。
【図３】図３は、割当テーブルの一例を示す説明図である。
【図４】図４は、マルチキャリア信号内のＳＣ毎の割当信号の一例を示す説明図である。
【図５】図５は、割当処理に関わる光送信器側の割当部の処理動作の一例を示すフローチャートである。
【図６】図６は、マルチキャリア信号に関わる多重化及び分離化の動作の一例を示す説明図である。
【図７】図７は、実施例２の光伝送システムの一例を示すブロック図である。
【図８】図８は、実施例３の光伝送システムの一例を示す説明図である。
【図９】図９は、伝送プログラムを実行する伝送装置を示す説明図である。
【発明を実施するための形態】
【００１０】
以下、図面に基づいて、本願の開示する伝送装置、伝送システム及び伝送方法の実施例を詳細に説明する。尚、本実施例により、開示技術が限定されるものではない。
【実施例１】
【００１１】
図１は、実施例１の光伝送システムの一例を示す説明図である。図１に示す光伝送システム１は、光送信器１０と、光受信器２０と、光送信器１０と光受信器２０との間を接続する光伝送路２とを有する。光送信器１０は、例えば、モバイル端末を無線収容する基地局と接続する光アクセスネットワークに接続する光モジュール等の伝送装置である。尚、モバイル端末は、例えば、携帯電話機、スマートフォンやタブレット端末等の無線端末である。光受信器２０は、例えば、光メトロネットワークや光コアネットワーク等内に収容された光モジュール等の伝送装置である。
【００１２】
光送信器１０は、ＤＭＴ変調部１１と、合波部１２と、電気／光変換部（以下、単にＥ／Ｏと称する）１３と、分岐部１４と、モニタ部１５と、割当部１６とを有する。ＤＭＴ変調部１１は、異なる特定周波数のチャネルのサブキャリア（以下、単にＳＣと称する）信号毎に情報信号を変調し、複数の情報信号を搬送波に多重化したＤＭＴ変調信号のマルチキャリア信号を生成する。分岐部１４は、例えば、基地局から各モバイル端末の無線信号を入力し、入力した無線信号を合波部１２及びモニタ部１５に夫々入力する。合波部１２は、マルチキャリア信号であるＤＭＴ変調信号に無線信号を合波する。Ｅ／Ｏ１３は、合波したマルチキャリア信号を光変換して光マルチキャリア信号を光伝送路２に伝送出力する。
【００１３】
モニタ部１５は、無線方式テーブル３１を参照し、分岐部１４で入力した無線信号の無線方式を取得する。図２は、無線方式テーブル３１の一例を示す説明図である。図２に示す無線方式テーブル３１は、無線信号の信号方式３１Ａ毎に、キャリア周波数３１Ｂ及び使用帯域幅３１Ｃを対応付けて管理している。信号方式３１Ａは、無線信号の信号方式であって、例えば、Ｗ−ＣＤＭＡ（Wideband  Code  Division  Multiple  Access）やＬＴＥ(Long  Term  Evolution、登録商標、以下同様)、ＷｉＭＡＸ（登録商標）等の信号方式である。更に、同一信号方式でも、複数の通信事業者毎に分別管理している。キャリア周波数３１Ｂは、信号方式が使用するキャリア周波数である。使用帯域幅３１Ｃは、信号方式が使用する周波数帯域である。モニタ部１５は、分岐部１４から得た無線信号をスペクトル解析してピーク周波数を取得する。そして、モニタ部１５は、無線方式テーブル３１を参照し、無線信号のピーク周波数に対応した無線信号の信号方式３１Ａ、キャリア周波数３１Ｂ及び使用帯域幅３１Ｃを取得する。
【００１４】
割当部１６は、モニタ部１５から無線信号の信号方式に対応したキャリア周波数及び使用帯域幅に基づき、無線信号及び情報信号に割り当てるＳＣを決定する。割当部１６は、割当テーブル３２を有する。図３は、割当テーブル３２の一例を示す説明図である。図３に示す割当テーブル３２は、ＳＣ番号３２Ａ毎に、使用周波数３２Ｂ及び割当信号３２Ｃを対応付けて管理している。ＳＣ番号３２Ａは、ＳＣを識別する識別番号である。使用周波数３２Ｂは、ＳＣ番号３２Ａ毎に使用するＳＣの周波数である。割当信号３２Ｃは、ＳＣ番号３２ＡのＳＣに割り当てた信号種別、例えば、無線信号の「無線」又は情報信号の「ＤＭＴ」である。
【００１５】
図４は、マルチキャリア信号内のＳＣ毎の割当信号の一例を示す説明図である。図４に示すマルチキャリア信号には、無線信号４０と、ガード帯域５０と、情報信号６０とがある。割当部１６は、モニタ部１５から無線信号４０の信号方式に対応したキャリア周波数ｆｃ及び使用帯域幅Δｆを取得する。また、ガード帯域５０の使用帯域幅はΔｆｇとする。
【００１６】
割当部１６は、図４に示すように、無線信号４０の周波数帯域ｆｃ−Δｆ／２〜ｆｃ＋Δｆ／２に基づき、ｆｃ−Δｆ／２−Δｆｇの下側のガード帯域５０Ａと、ｆｃ＋Δｆ／２＋Δｆｇの上側のガード帯域５０Ｂとを算出する。
【００１７】
更に、割当部１６は、ｆ＜ｆｃ−Δｆ／２−Δｆｇの周波数帯域幅に対応した下側ＳＣ番号Ｎ１を検索し、下側ＳＣ番号Ｎ１以降の周波数減少方向にあるＳＣ番号を検索する。割当部１６は、ｆ＞ｆｃ＋Δｆ／２＋Δｆｇの周波数帯域幅に対応した上側ＳＣ番号Ｎ２を検索し、上側ＳＣ番号Ｎ２以降の周波数増加方向にあるＳＣ番号を検索する。
【００１８】
割当部１６は、下側ＳＣ番号Ｎ１以降の周波数減少方向にあるＳＣ番号及び、上側ＳＣ番号Ｎ２以降の周波数増加方向にあるＳＣ番号の割当信号３２Ｃに情報信号の「ＤＭＴ」を割り当てる。更に、割当部１６は、下側ＳＣ番号Ｎ１と周波数増加方向に隣接するＳＣのＳＣ番号Ｎ１＋１と、上側ＳＣ番号Ｎ２と周波数減少方向に隣接するＳＣのＳＣ番号Ｎ２−１との範囲内のＳＣ番号の割当信号３２Ｃに無線信号の「無線」を割り当てる。
【００１９】
割当部１６は、その割当内容に基づき、割当テーブル３２内のＳＣ番号３２Ａに対応した割当信号３２Ｃを更新する。割当部１６は、割当テーブル３２を参照し、ＳＣ番号３２Ａに対応した使用周波数３２Ｂ及び割当信号３２Ｃ等の割当情報をＤＭＴ変調部１１に設定する。ＤＭＴ変調部１１は、割当情報に基づき、無線信号の周波数に重ならない周波数のＳＣに情報信号を多重化してＤＭＴ変調信号を生成する。割当部１６は、割当情報の他に、無線信号のキャリア周波数及び使用帯域幅等を含む無線情報を加えた設定情報を、例えば、制御線３経由で光受信器２０に通知する。
【００２０】
光受信器２０は、光／電気変換部（以下、単にＯ／Ｅと称する）２１と、分波部２２と、ＤＭＴ復調部２３とを有する。Ｏ／Ｅ２１は、光伝送路２から受信した光マルチキャリア信号を電気変換してマルチキャリア信号を得る。分波部２２は、光送信器１０側からの割当情報内の無線信号のキャリア周波数ｆｃ及び使用帯域幅Δｆに基づきマルチキャリア信号から無線信号を分離し、無線信号を出力する。更に、ＤＭＴ復調部２３は、分離後のマルチキャリア信号であるＤＭＴ変調信号を復調して情報信号を出力する。
【００２１】
次に実施例１の光伝送システム１の動作について説明する。図５は、割当処理に関わる光送信器１０側の割当部１６の処理動作の一例を示すフローチャートである。図５に示す割当処理は、無線信号及びＤＭＴ変調信号に割り当てるＳＣを決定する処理である。図５において割当部１６は、モニタ部１５から無線信号のピーク周波数等のモニタ結果を得る（ステップＳ１１）。割当部１６は、モニタ結果に基づき、無線方式テーブル３１から無線信号の信号方式、キャリア周波数ｆｃ及び使用帯域幅Δｆを決定する（ステップＳ１２）。割当部１６は、キャリア周波数ｆｃ及び使用帯域幅Δｆに基づき、図４に示すように、ｆ＜ｆｃ−Δｆ／２−Δｆｇに対応した下側ＳＣ番号Ｎ１を検索する（ステップＳ１３）。割当部１６は、ｆ＞ｆｃ＋Δｆ／２＋Δｆｇに対応した上側ＳＣ番号Ｎ２を検索する（ステップＳ１４）。
【００２２】
割当部１６は、割当テーブル３２を参照し、（Ｎ１＋１）〜（Ｎ２−１）のＳＣ番号３２Ａに対応した割当信号３２Ｃが「無線」であるか否かを判定する（ステップＳ１５）。割当部１６は、（Ｎ１＋１）〜（Ｎ２−１）のＳＣ番号３２Ａに対応した割当信号３２Ｃが「無線」でない場合（ステップＳ１５否定）、（Ｎ１＋１）〜（Ｎ２−１）のＳＣ番号３２Ａに対応した割当信号３２Ｃを「無線」に設定する（ステップＳ１６）。割当部１６は、割当テーブル３２を更新する（ステップＳ１７）。
【００２３】
割当部１６は、割当テーブル３２を参照し、下側ＳＣ番号Ｎ１以降の周波数減少方向のＳＣ番号及び、上側ＳＣ番号Ｎ２以降の周波数増加方向のＳＣ番号に対応した割当信号３２Ｃが「ＤＭＴ」であるか否かを判定する（ステップＳ１８）。割当部１６は、対応した割当信号３２Ｃが「ＤＭＴ」でない場合（ステップＳ１８否定）、これらＳＣ番号の割当信号３２Ｃを「ＤＭＴ」に設定する（ステップＳ１９）。割当部１６は、割当テーブル３２を更新する（ステップＳ２０）。
【００２４】
割当部１６は、割当テーブル３２の更新内容である割当情報をＤＭＴ変調部１１に設定する（ステップＳ２１）。更に、割当部１６は、割当情報及び無線情報を含む設定情報を光受信器２０に通知し（ステップＳ２２）、図５に示す処理動作を終了する。その結果、光受信器２０は、設定情報を分波部２２及びＤＭＴ復調部２３に設定する。分波部２２は、割当情報内の無線信号のキャリア周波数及び使用帯域幅に基づきマルチキャリア信号から無線信号を分離して無線信号を出力する。更に、ＤＭＴ復調部１１は、割当情報に基づき、無線信号分離後のマルチキャリア信号であるＤＭＴ変調信号を復調して情報信号を出力する。
【００２５】
割当部１６は、（Ｎ１＋１）〜（Ｎ２−１）のＳＣ番号３２Ａに対応した割当信号３２Ｃが「無線」の場合（ステップＳ１５肯定）、ステップＳ１８に移行する。また、割当部１６は、対応した割当信号３２Ｃが「ＤＭＴ」の場合（ステップＳ１８肯定）、割当情報をＤＭＴ変調部１１に設定すべく、ステップＳ２１に移行する。
【００２６】
図５に示す割当処理の割当部１６は、入力した無線信号の信号方式、キャリア周波数及び使用帯域幅に基づき無線信号の周波数のＳＣに無線信号を割り当て、無線信号の周波数が重ならない周波数のＳＣにＤＭＴ信号を割り当てる。割当部１６は、割当情報を割当テーブル３２内に更新する。その結果、光送信器１０は、割当情報に基づき、ＳＣ毎に情報信号を多重化したＤＭＴ変調信号に、情報信号と重ならないように無線信号を効率良く多重化できる。
【００２７】
更に、割当部１６は、割当情報及び無線情報を含む設定情報を光受信器２０に通知する。光受信器２０の分波部２２は、設定情報内の無線情報に基づき無線信号の信号方式を用いてマルチキャリア信号から無線信号を分離出力する。更に、ＤＭＴ復調部２３は、設定情報内の割当情報に基づき、分離後のＤＭＴ変調信号を復調して情報信号を出力できる。
【００２８】
図６は、光送信器１０及び光受信器２０のマルチキャリア信号の多重化及び分離化の動作の一例を示す説明図である。光送信器１０内のＤＭＴ変調部１１は、割当情報に基づき、図６の（Ａ）に示すように、無線信号の周波数が重ならない周波数のＳＣに情報信号を多重化したＤＭＴ変調信号のマルチキャリア信号を生成する。光送信器１０内の合波部１２は、図６の（Ａ）に示すＤＭＴ変調信号のマルチキャリア信号に、図６の（Ｂ）に示す無線信号を合波して、図６の（Ｃ）に示すマルチキャリア信号を生成する。図６の（Ｃ）に示すマルチキャリア信号は、情報信号６０と無線信号４０との間に上側のガード帯域５０Ａ及び下側のガード帯域５０Ｂがある。光送信器１０は、マルチキャリア信号を光伝送路２経由で光受信器２０に伝送する。光受信器２０内の分波部２２は、設定情報内の無線情報に基づき、マルチキャリア信号から図６の（Ｄ）に示す無線信号を出力する。更に、分波部２２は、無線信号分離後のマルチキャリア信号である図６の（Ｅ）に示すＤＭＴ変調信号を得る。そして、光受信器２０内のＤＭＴ復調部２３は、ＤＭＴ変調信号を復調して情報信号を出力する。その結果、光受信器２０は、光送信器１０からのマルチキャリア信号から情報信号は勿論のこと、無線信号も取得できる。
【００２９】
実施例１の光送信器１０は、入力された無線信号の周波数と重ならない周波数のＳＣに情報信号を割り当て、各ＳＣに割り当てられた情報信号を多重化したＤＭＴ変調信号のマルチキャリア信号を生成する。光送信器１０は、マルチキャリア信号に無線信号を周波数多重して伝送する。その結果、光送信器１０は、情報信号を多重化したＤＭＴ変調信号のマルチキャリア信号で無線信号を効率良く伝送できる。
【００３０】
光送信器１０は、ＤＭＴ変調信号内の情報信号と無線信号との間に未使用の周波数帯域であるガード帯域５０Ａ、５０Ｂを設けるように、ＤＭＴ変調信号内のＳＣに情報信号を割り当てる。その結果、光送信器１０は、ガード帯域５０Ａ，５０Ｂを設けることで、無線信号と情報信号との間の信号干渉を防止できる。
【００３１】
光送信器１０は、無線信号のスペクトルのピーク周波数に基づき無線情報を決定する。その結果、光送信器１０は、入力された無線信号の無線情報を自動的に認識し、無線方式の種別に応じたＳＣ割当を実現できる。
【００３２】
光送信器１０は、無線信号の周波数情報と、情報信号の割当情報とを含む設定情報を光受信器２０に通知する。その結果、光受信器２０は、設定情報に基づき、マルチキャリア信号から無線信号及び情報信号を抽出できる。
【００３３】
尚、上記実施例１の光伝送システム１は、設定情報を光伝送路２と異なる制御線３経由で光送信器１０から光受信器２０に通知するようにした。しかしながら、例えば、光伝送路２を伝送するマルチキャリア信号の制御信号内に割当情報を含めて光送信器１０から光受信器２０に通知するようにしても良い。そこで、この場合の実施の形態につき、実施例２として以下に説明する。
【実施例２】
【００３４】
図７は、実施例２の光伝送システムの一例を示すブロック図である。尚、図１に示す光伝送システム１と同一の構成には同一符号を付すことで、その重複する構成及び動作の説明については省略する。図７に示す光伝送システム１Ａが図１に示す光伝送システム１と異なるところは、光マルチキャリア信号の制御チャネルに使用するＯＳＣ信号（Optical  Service  Channel）信号内に設定情報を含めて光送信器１０Ａから光受信器２０Ａに通知する点にある。
【００３５】
光送信器１０Ａは、光マルチキャリア信号のＯＳＣ信号内に設定情報を格納するＯＳＣ送信部１７と、ＯＳＣ信号と光マルチキャリア信号とを合波する光カプラ１８とを有する。光受信器２０Ａは、光伝送路２から受信した光マルチキャリア信号を光分岐する光カプラ２４と、光分岐された光マルチキャリア信号からＯＳＣ信号を受信するＯＳＣ受信部２５とを有する。ＯＳＣ受信部２５は、ＯＳＣ信号内の設定情報内の無線情報を分波部２２に設定する。その結果、分波部２２は、無線情報内の無線信号のキャリア周波数及び使用帯域幅に基づき光マルチキャリア信号から無線信号及びＤＭＴ変調信号を分離出力できる。また、ＯＳＣ受信部２５は、ＯＳＣ信号内の設定情報内の割当情報をＤＭＴ復調部２３に設定する。その結果、ＤＭＴ復調部２３は、ＤＭＴ変調信号を復調して情報信号を出力できる。
【００３６】
実施例２の光伝送システム１Ａでは、光マルチキャリア信号内のＯＳＣ信号内に設定情報を格納して光送信器１０Ａから光受信器２０Ａに伝送する。その結果、光送信器１０Ａは、制御線３を用いなくても、光マルチキャリア信号で設定情報を光受信器２０Ａにリアルタイムに伝送できる。
【００３７】
尚、上記実施例１の光伝送システム１では、ＤＭＴ変調信号のマルチキャリア信号に無線信号を電気的に合波したマルチキャリア信号を光変換した。しかしながら、ＤＭＴ変調信号及び無線信号を夫々光変換した後、ＤＭＴ変調信号及び無線信号を光周波数多重するようにしても良い。そこで、この場合の実施の形態につき、実施例３として以下に説明する。
【実施例３】
【００３８】
図８は、実施例３の光伝送システムの一例を示す説明図である。尚、図１に示す光伝送システム１と同一の構成には同一符号を付すことで、その重複する構成及び動作の説明については省略する。図８に示す光伝送システム１Ｂが図１に示す光伝送システム１と異なるところは、ＤＭＴ変調信号及び無線信号を夫々光変換し、光変換されたＤＭＴ変調信号と無線信号とを光周波数多重化した点にある。
【００３９】
図８に示す光送信器１０Ｂは、第１のＥ／Ｏ１３Ａと、第２のＥ／Ｏ１３Ｂと、光周波数多重部１９とを有する。第１のＥ／Ｏ１３Ａは、ＤＭＴ変調部１１からのＤＭＴ変調信号のマルチキャリア信号を光変換する。第２のＥ／Ｏ１３Ｂは、分岐部１４から入力された無線信号を光変換する。光周波数多重部１９は、光変換されたＤＭＴ変調信号と光変換された無線信号とを光周波数多重して光マルチキャリア信号を出力する。
【００４０】
光送信器１０Ｂは、ＤＭＴ変調部１１で無線信号の周波数と重ならない周波数のＳＣに情報信号を多重化したＤＭＴ変調信号のマルチキャリア信号を光変換すると共に、入力された無線信号を光変換する。光送信器１０Ｂの光周波数多重部１９は、光変換されたマルチキャリア信号に、光変換された無線信号を光周波数多重化して、その光マルチキャリア信号を光伝送路２に伝送する。
【００４１】
実施例３の光伝送システム１Ｂは、光変換したＤＭＴ変調信号のマルチキャリア信号に、光変換した無線信号を光周波数多重化したので、電気信号で周波数多重化した場合に比較して、高周波帯域での信号処理に有用である。
【００４２】
また、上記実施例１〜３では、ＤＭＴ変調方式の光送信器１０を例示したが、複数のＳＣに情報信号を多重化する他のマルチキャリア変調方式の光送信器にも適用可能である。例えば、ＯＦＤＭ（Orthogonal  Frequency  Division  Multiplexing）変調方式やＱＰＳＫ（Quadrature  Phase  Shift  Keying）変調方式を含む各種ＰＳＫ変調方式等のマルチキャリア変調方式の光送信器に適用可能である。同様に、ＤＰＳＫ（Differential  Phase  Shift  Keying）や８ＰＳＫ等にも適用可能である。
【００４３】
上記実施例１〜３では、光送信器１０（１０Ａ，１０Ｂ）及び光受信器２０（２０Ａ、２０Ｂ）を個別に図示したが、光送信器１０（１０Ａ，１０Ｂ）及び光受信器２０（２０Ａ、２０Ｂ）を内蔵した光モジュールであっても良い。
【００４４】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００４５】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【００４６】
ところで、本実施例で説明した各種の処理は、予め用意されたプログラムを光モジュールで実行することで実現できる。そこで、以下では、上記実施例と同様の機能を有するプログラムを実行する光モジュール等の伝送装置の一例を説明する。図９は、伝送プログラムを実行する伝送装置１００を示す説明図である。
【００４７】
図９において伝送プログラムを実行する伝送装置１００では、通信インタフェース１１０、ＲＯＭ１２０、ＲＡＭ１３０及びプロセッサ１４０を有する。
【００４８】
そして、ＲＯＭ１２０には、上記実施例と同様の機能を発揮する伝送プログラムが予め記憶されている。尚、ＲＯＭ１２０ではなく、図示せぬドライブで読取可能な記録媒体に伝送プログラムが記録されていても良い。また、記録媒体としては、例えば、ＣＤ−ＲＯＭ、ＤＶＤディスク、ＵＳＢメモリ、ＳＤカード等の可搬型記録媒体、フラッシュメモリ等の半導体メモリ等でも良い。また、伝送プログラムは、ネットワークを介して通信可能な記憶装置から取得されてもよい。伝送プログラムとしては、図９に示すように、割当プログラム１２０Ａ、生成プログラム１２０Ｂ及び多重化プログラム１２０Ｃである。尚、プログラム１２０Ａ、１２０Ｂ及び１２０Ｃについては、適宜統合又は分散しても良い。
【００４９】
そして、プロセッサ１４０は、これらのプログラム１２０Ａ、１２０Ｂ及び１２０ＣをＲＯＭ１２０から読み出し、これら読み出された各プログラムを実行する。そして、プロセッサ１４０は、各プログラム１２０Ａ、１２０Ｂ及び１２０Ｃを、割当プロセス１４０Ａ、生成プロセス１４０Ｂ及び多重化プロセス１４０Ｃとして機能する。
【００５０】
プロセッサ１４０は、入力された無線信号の周波数と重ならない周波数のサブキャリアに情報信号を割り当てる。プロセッサ１４０は、各サブキャリアに割り当てられた前記情報信号を多重化したマルチキャリア信号を生成する。プロセッサ１４０は、生成されたマルチキャリア信号に前記無線信号を周波数多重化して伝送出力する。その結果、伝送装置１００は、情報信号を多重化したマルチキャリア信号で無線信号を効率良く伝送できる。
【００５１】
以上、本実施例を含む実施の形態に関し、更に以下の付記を開示する。
【００５２】
（付記１）入力された無線信号の周波数と重ならない周波数のサブキャリアに情報信号を割り当てる割当部と、
前記割当部にて各サブキャリアに割り当てられた前記情報信号を多重化したマルチキャリア信号を生成する生成部と、
前記生成部にて生成された前記マルチキャリア信号に前記無線信号を周波数多重化して伝送出力する多重化部と
を有することを特徴とする伝送装置。
【００５３】
（付記２）入力された無線信号の周波数を取得する取得部をさらに有し、
前記割当部は、
前記取得部にて取得された前記無線信号の周波数と重ならない周波数のサブキャリアに前記情報信号を割り当てることを特徴とする付記１に記載の伝送装置。
【００５４】
（付記３）前記割当部は、
前記無線信号の周波数と、前記無線信号と隣接する前記情報信号に割り当てた前記サブキャリアの周波数との間に未使用の周波数帯域を設けるように、前記サブキャリアに前記情報信号を割り当てることを特徴とする付記１又は２に記載の伝送装置。
【００５５】
（付記４）前記無線信号の周波数に関する周波数情報と、前記情報信号毎に割り当てるサブキャリアに関する割当情報とを含む設定情報を、前記マルチキャリア信号を受信する相手先装置に通知する通知部をさらに有することを特徴とする付記１〜３の何れか一つに記載の伝送装置。
【００５６】
（付記５）前記多重化部は、
前記情報信号を多重化した前記マルチキャリア信号を第１の光信号に変換する第１の変換部と、
前記無線信号を第２の光信号に変換する第２の変換部と、
前記第１の光信号に前記第２の光信号を光周波数多重化して伝送出力する光多重化部と
を有することを特徴とする付記１〜４の何れか一つに記載の伝送装置。
【００５７】
（付記６）前記多重化部は、
前記情報信号を離散マルチトーン変調方式で各サブキャリアに多重化したことを特徴とする付記１〜５の何れか一つに記載の伝送装置。
【００５８】
（付記７）送信装置と、当該送信装置からマルチキャリア信号を送信する受信装置とを有する伝送システムであって、
前記送信装置は、
入力された無線信号の周波数と重ならない周波数のサブキャリアに情報信号を割り当てる割当部と、
前記割当部にて各サブキャリアに割り当てられた前記情報信号を多重化したマルチキャリア信号を生成する生成部と、
前記生成部にて生成された前記マルチキャリア信号に前記無線信号を周波数多重化して伝送出力する多重化部と、
前記無線信号の周波数に関する周波数情報及び、前記情報信号毎に割り当てるサブキャリアに関する割当情報を含む設定情報を前記受信装置に通知する通知部と
を有し、
前記受信装置は、
前記送信装置からの前記設定情報に基づき、前記マルチキャリア信号から前記無線信号と前記情報信号とに分離する分離部を有することを特徴とする伝送システム。
【００５９】
（付記８）伝送装置は、
入力された無線信号の周波数と重ならない周波数のサブキャリアに情報信号を割り当て、
各サブキャリアに割り当てられた前記情報信号を多重化したマルチキャリア信号を生成し、
生成された前記マルチキャリア信号に前記無線信号を周波数多重化して伝送出力する
処理を実行することを特徴とする伝送方法。
【００６０】
（付記９）伝送装置のプロセッサに、
入力された無線信号の周波数と重ならない周波数のサブキャリアに情報信号を割り当て、
各サブキャリアに割り当てられた前記情報信号を多重化したマルチキャリア信号を生成し、
生成された前記マルチキャリア信号に前記無線信号を周波数多重化して伝送出力する
処理を実行させることを特徴とする伝送プログラム。
【符号の説明】
【００６１】
１，１Ａ，１Ｂ  光伝送システム
１０，１０Ａ、１０Ｂ  光送信器
１１  ＤＭＴ変調部
１２  合波部
１３Ａ  第１のＥ／Ｏ
１３Ｂ  第２のＥ／Ｏ
１５  モニタ部
１６  割当部
１７  ＯＳＣ送信部
１９  光周波数多重部
２０  光受信器
【図１】
2015076865.tif 000003
【図２】
2015076865.tif 000004
【図３】
2015076865.tif 000005
【図４】
2015076865.tif 000006
【図５】
2015076865.tif 000007
【図６】
2015076865.tif 000008
【図７】
2015076865.tif 000009
【図８】
2015076865.tif 000010
【図９】
2015076865.tif 000011